(57)【要約】【課題】従来の技術では、臭気成分の消去のために、活性炭のような臭気成分を吸着させる方法、オゾン等のように臭気成分を酸化させたりして他の成分に変化させる方法、香料などを用いて強い香料で臭気を感じさせなくさせる方法、電気的に分子の酸化あるいは分解させる方法等があったが、これらの方法に、吸着量の限界、消臭速度の遅さや香料と臭気の混合させ方などに問題点があった。【解決手段】本発明は、以上の問題点を解決するため、ブラックライトから発せられる紫外線を二酸化チタンが塗布された竹繊維フィルターに照射することによって、この二酸化チタンの光触媒効果により、臭気分子を分解し、かつ、イオン発生部分でも残った臭気分子を分解させるように電極を工夫した装置である。【選択図】図１
2007327685.tif 000002
【特許請求の範囲】
【請求項１】
高電圧電極を有するイオン発生器等の機器を組み込んだ空気清浄器において、この空気清浄器は、前記イオン発生器等の構成要素を収容する本体容器と、空気が通過する通風路にイオン発生器等の電極を設置したことを特徴とする空気清浄器。
【請求項２】
イオン発生器の電極として、針状の先端部分を要する高電圧側の電極と半球状の網を用いた低電圧側の電極を組み合わせたことを特徴とする請求項１に記載の空気清浄器。
【請求項３】
半球状の網がステンレスで構成されていることを特徴とする請求項１および請求項２に記載の空気清浄器。
【請求項４】
吹き出し口側に設置したフィルターとして臭い分子吸着性に優れている爆砕竹繊維を用いたことを特徴とする請求項１、請求項２および請求項３に記載の空気清浄器。
【請求項５】
吸い入れ側に設置した、二酸化チタン溶液を噴霧したフィルター（不職布）を用いていることを特徴とする請求項１、請求項２、請求項３および請求項４に記載の空気清浄器。
【発明の詳細な説明】
【技術分野】
【０００１】
本発明は、自動車の車内のように比較的狭い空間の臭気分子や煙を分解又は減少させるための消臭方法及び消臭装置に関するものであり、かつ、パチンコ台やスロット台のような遊技機の近くに設置し臭気を消去し室内の環境健全に保つための消臭器もしくは空気清浄器に関するものである。
【背景技術】
【０００２】
従来の技術では、臭気の種類が多岐に渡っているので自動車の車内の臭いを消えるようにするのは困難であった。同様に、タバコの煙や臭いはオゾンで消えない場合が多かった。イオン発生器の電極間を通過すると消えることが分った。また、アンモニアの臭気は、イオン発生器を通過しただけでは消臭しないが、オゾンによって消去され易いことが分った。
【０００３】
オゾンには強い消臭効果を示すことは古くから知られているが、各分野に応用されてきたが、そのオゾンに比較的強い毒性もあることが知られている。従って、本目的のためには出来るだけオゾンの発生を避けるように工夫してきた。
【特許文献１】特許第３６２１３７２号
【発明の開示】
【発明が解決しようとする課題】
【０００４】
消臭させる方法として非常に多くの方法が考えられ、開発され製品化されてきた装置が多い。このように消臭方法は多種多様であり、活性炭、木炭、竹炭、薬剤、香料、酸化チタン、微生物、セラミック、オゾンなどが用いられているが、確固たる方法はなかった。本発明で解決しようとする課題はオゾンを発生させることを極力少なくさせ、竹繊維を用いて空気中の臭気分子を大きく減少させる脱臭・消臭する装置を提供すること、かつ、構造上簡単で小型化された除菌・殺菌装置を提供することである。
【０００５】
ここで述べた竹繊維は、特許文献（特許第３６２１３７２号）で記載されている方法で作製されたもので、この特許権の維持者から爆砕竹繊維の使用できる権利を認可されている。
【０００６】
従来のオゾン脱臭装置は、オゾン発生器と送風機とを同時に作動させることにより、装置内に臭気分子を導入してオゾンと反応させるように構成されているので、装置を通過する空気の臭気分子しか除去することができず、室内の壁面等に吸着された臭気分子を除去できないので、十分な消臭効果が得られないという問題があった。
【０００７】
その他にも、消臭方法として臭気分子の吸着材である竹炭や備長炭などを使用して消臭効果を出したり、香料を単独または２種類以上の香料を混合して悪臭を防御する方法がある。吸着材の効力には限界があるため、竹炭や備長炭は、数ヶ月に一度というように定期的に交換して上げなければならなかった。また、香料等を使った消臭剤は固形のものと液体のものがあるが、揮発性のためだんだん減少していき香料を追加しなければならなかった。
【０００８】
さらに使用上の問題点として、ホテルや旅館においては、畳や絨毯を敷いている客室において利用客の香水においや、客室内で焚いたお香のにおいさらには人の体臭などが壁面等に染みついた状態になることが頻繁にあった。上記従来の消臭器では、このような場合のにおいの除去に数日を要していまい、その間は次の客に対して客室を提供することが出来ないという問題があった。
【０００９】
同様の問題は病院の病室や老人介護施設の部屋においても生じており、施設内部にいる患者や老人から発生する特有の異臭が壁面等に吸着するため、効果的な消臭装置が望まれていた。
【００１０】
本発明は、以上のような問題を解決すべくためになされたものであって、客室のような空間内の臭気を効果的に除去することができる消臭方法および消臭装置の提供が期待されていること起因として開発したものである。
【００１１】
本発明では、家庭で使用している１００V（ボルト）交流電流であってもまたは自動車のようなバッテリーあっても直流電流であって、１２Ｖや２４Vの電圧であっても使用できるように改良が非常に簡単に交換できるように小さい電子基盤で制御できるように工夫した比較的軽量な消臭方法および消臭装置が望まれている。
【課題を解決するための手段】
【００１２】
本発明の目的は、消臭装置を提供することであって、電圧差を大きく生じさせるプラズマ放電器と酸化チタンを吸着させた爆砕竹繊維をフィルターとして導入した装置より達成される。
【００１３】
上記の装置において、前記爆砕竹繊維は、有機物の分解光触媒として酸化チタンを吸着させている。これは、この爆砕竹繊維は活性炭のように、においの分子である有機物を吸着させやすい傾向がある。
【００１４】
活性炭のような物質は、表面に吸着した臭気分子が飽和してしまうとその効力が大きく減退してしまうが、酸化チタンを吸着させることによって、竹繊維に吸着した臭気分子が分解されてしまうので、その脱臭効力は非常に長い期間維持させることができるようになった。
【００１５】
プラズマ放電の場合、高電圧側の電極とアース側の電極の形体や距離によって消臭効果に大きく作用する。本発明は、高電圧側の電極を出来るだけ細い針状の通電性物質であることと、アース側電極の形状が半球状の網にすると電子風の流が強くなることを見いだした。
【００１６】
ステンレスという金属は、手に付いた臭気を擦ることによって、その臭気が消えてしまうという特徴をもっている。ここでは、その性質を応用し、アース側の電極に用いることによって、高電圧側から受けた強い電気的な刺激によって瞬間的にタバコの煙や臭いを分解してしまうようにした。
【００１７】
本発明は、以上のような問題を解決すべくためになされたものであって、タクシーのような多くの人たちが乗り降りする公共の閉ざされた空間の臭気やパチンコ店においては、パチンコ台の隣に配置してタバコの煙や臭気を効果的に除去することができる消臭方法および消臭装置の提供を目的とする。
【実施例１】
【００１８】
本発明によって製作された消臭装置を、体臭やタバコ臭の染み着いたタクシー内に設置した。タクシーの全てのドアを閉め、密閉状態にして実験をした。電源コードはシーガレット端子に差し込み、装置のスイッチをオンにして始動させた。本装置を２０分間密閉状態でのタクシー内で作動させた結果、臭気はほとんど消えていた。
【００１９】
この事実を確認するため、約３．５ｍ３の密閉した部屋（タクシーの車内）に、アンモニアガスを充満させた後その濃度を測定すると約５ppmであった。３０分後に再びその車内のアンモニア濃度を測定すると約０．３ppmであった。
【実施例２】
【００２０】
図２で示したように、本発明によって製作された消臭装置を８ｍ３の密閉した部屋に設置しその部屋にアンモニアを入れその減少度を調べてみた。この消臭装置の電源を入れて２０分間密閉状態にした。その結果、装置を稼働する前は強い刺激臭があったが、２０分後、臭気はほとんど消えていた。
【００２１】
この事実を確認するために、広さが約８ｍ３の部屋にアンモニア濃度が約５ppmに充満させ、３０分後、検知管でその濃度を測定した結果、０．２ppmであった。
【産業上の利用可能性】
【００２２】
本発明は、タバコの煙の消去や臭気の消去に有効な技術であり、家庭で使用できるような小型な消臭機から動物舎のような環境上消臭しなければならない大型な装置にまで応用できる。
【図面の簡単な説明】
【００２３】
【図１】図は、本発明の空気清浄器の概略図を示す。
【符号の説明】
【００２４】
１  空気清浄器本体
２  二酸化チタンを塗布した竹繊維フィルター
３  ブラックライト
４  高電圧側の電極
５  アース電極（半球状の金属網）
６  送風機
【図１】
2007327685.tif 000003